(57)【要約】【課題】宣伝等表示欄に十分な宣伝効果を持たせつつ、各月の予定等を簡単に表示できて使い勝手を大幅に向上させ得る通年カレンダーを提供する。【解決手段】台紙上に月表示と曜日表示及び日付表示が１月から１２月までの各月毎に印刷された通年カレンダーであって、１月から１２月までの１２ヶ月を複数月からなる複数のエリアに分割し、該分割されたエリア間に宣伝等表示欄を設けると共に、分割されたエリアの外側にメモ等表示欄を設けたことを特徴とする。また、複数のエリアが１月から６月までと７月から１２月までの２つのエリアで形成されて宣伝等表示欄が２つのエリア間に設けられると共に、２つのエリアの外側にメモ等表示欄がそれぞれ１ヶ月分設けられる。【選択図】図２
2008126654.tif 000002
【特許請求の範囲】
【請求項１】
台紙上に月表示と曜日表示及び日付表示が１月から１２月までの各月毎に印刷された通年カレンダーであって、
１月から１２月までの１２ヶ月を複数月からなる複数のエリアに分割し、該分割されたエリア間に宣伝等表示欄を設けると共に、前記分割されたエリアの外側にメモ等表示欄を設けたことを特徴とする通年カレンダー。
【請求項２】
前記複数のエリアが１月から６月までと７月から１２月までの２つのエリアで形成されて前記宣伝等表示欄が２つのエリア間に設けられると共に、該２つのエリアの外側に前記メモ等表示欄がそれぞれ１ヶ月分設けられていることを特徴とする請求項１に記載の通年カレンダー。
【請求項３】
前記メモ等表示欄は、予定等を示す付箋もしくはマグネット等が着脱可能に貼付される構造であることを特徴とする請求項１または２に記載の通年カレンダー。
【発明の詳細な説明】
【技術分野】
【０００１】  本発明は、１月から１２月までの各月の曜日と日付が１枚の台紙に印刷された通年カレンダーに関する。
【背景技術】
【０００２】  一般的に、カレンダーには、月別カレンダー、隔月別カレンダーあるいは通年カレンダー等があり、そのうち通年カレンダーとしては、例えば一枚の台紙に、年号表示欄と、１月から１２月までの月表示欄が設けられ、各月表示欄に曜日と日付が印刷されると共に、宣伝用の社名等が印刷された宣伝等表示欄が印刷されたものが知られている。【０００３】  ところが、このような通年カレンダーの場合、台紙の外周部である最下端部等に宣伝等表示欄が設けられていることが主流であり、カレンダーを使う人の目線が宣伝等表示欄に向き難くなると共に  カレンダーを壁等に取り付けた際に宣伝等表示欄が他の物で隠れる場合がある等、宣伝等表示欄に十分な宣伝効果を持たせることが難しい。そこで、当出願人は、特許文献１に示すように、宣伝等表示欄を台紙の略中央部分に設けることにより、個性あるカレンダーを形成できて、宣伝等表示欄に十分な宣伝効果等を持たせることが可能な通年カレンダーを提案した。
【特許文献１】特開２００４−１８８８７０号公報
【発明の開示】
【発明が解決しようとする課題】
【０００４】  しかしながら、このような通年カレンダーにおいては、宣伝等表示欄に十分な宣伝効果が得られるものの、例えば通年カレンダーに各月の予定等を記入したりマーキングする等して表示することが困難で、その使い勝手の面で十分でないという問題点を有している。【０００５】  本発明は、このような事情に鑑みてなされたもので、宣伝等表示欄に十分な宣伝効果を持たせつつ、各月の予定等を簡単に表示できて使い勝手を大幅に向上させ得る通年カレンダーを提供することにある。
【課題を解決するための手段】
【０００６】  かかる目的を達成すべく、本発明のうち請求項１に記載の発明は、台紙上に月表示と曜日表示及び日付表示が１月から１２月までの各月毎に印刷された通年カレンダーであって、１月から１２月までの１２ヶ月を複数月からなる複数のエリアに分割し、該分割されたエリア間に宣伝等表示欄を設けると共に、前記分割されたエリアの外側にメモ等表示欄を設けたことを特徴とする。【０００７】  また、請求項２に記載の発明は、前記複数のエリアが１月から６月までと７月から１２月までの２つのエリアで形成されて前記宣伝等表示欄が２つのエリア間に設けられると共に、該２つのエリアの外側に前記メモ等表示欄がそれぞれ１ヶ月分設けられていることを特徴とする。さらに、請求項３に記載の発明は、前記メモ等表示欄が、予定等を示す付箋もしくはマグネット等が着脱可能に貼付される構造であることを特徴とする。
【発明の効果】
【０００８】  本発明のうち請求項１に記載の発明によれば、１月から１２月までの１２ヶ月を複数のエリアに分割し、この分割されたエリア間に宣伝等表示欄が設けられると共に、分割されたエリアの外側にメモ等表示欄が設けられているため、宣伝等表示欄を台紙の例えば略中央部分に位置させることができて、宣伝等表示欄に印刷された宣伝の宣伝効果等を十分に高めることができる共に、各月の予定等をメモ等表示欄に簡単に表示できて、カレンダーの使い勝手を大幅に向上させることができる。【０００９】  また、請求項２に記載の発明によれば、請求項１に記載の発明の効果に加え、１月から６月までと７月から１２月までの２つのエリア間に宣伝等表示欄が設けられると共に、２つのエリアの外側にメモ等表示欄がそれぞれ１ヶ月分設けられているため、１年を半年毎のエリアに分割してその中央部分のエリア間に宣伝等表示欄を設けらることができて、宣伝情報の認識効果を一層高めることができると共に、２つのメモ等表示欄に今月と来月の予定等を表示できて、カレンダーの使い勝手を一層向上させることができる。【００１０】  さらに、請求項３に記載の発明によれば、請求項１または２に記載の発明の効果に加え、メモ等表示欄に予定等を示す付箋もしくはマグネット等が着脱可能に貼付されるため、予定等を台紙のメモ等表示欄に簡単に着脱形式で表示できて、通年カレンダーの使い勝手をより一層向上させることができる。
【発明を実施するための最良の形態】
【００１１】  以下、本発明の実施の形態を図面に基づいて詳細に説明する。
図１及び図２は、本発明に係わる通年カレンダーの一実施形態を示し、図１がその概略構成図、図２がその要部の拡大図である。【００１２】  図１及び図２において、通年カレンダー１は、所定の長さと幅を有する例えば縦長形状の台紙２を有し、この台紙２の上部には、年号が印刷表示される年号表示欄３が設けられると共に、この年号表示欄３の下部には、１月から６月までの各月の後述する曜日表示９や日付表示８が印刷表示される６個の月表示欄６からなる半年エリア４ａが設けられている。【００１３】  また、この半年エリア４ａの下部には、宣伝等表示欄５を介して７月から１２月までの各月の曜日表示９や日付表示８が印刷表示される６個の月表示欄６からなる半年エリア４ｂが設けられている。この時、各半年エリア４ａ、４ｂの各月の並びは、二ヶ月づつ対になって横方向で上下に沿って並べられているが、例えば括弧内に示すように１月から３月（７月から９月）及び４月から６月（１０から１２月）をそれぞれ縦方向に並べる配置とすることもできる。【００１４】  さらに、半年エリア４ａ、４ｂの左右外側となる台紙２の左右両端部には、メモ等表示欄７がそれぞれ設けられている。このメモ等表示欄７は、上から下に向けて１〜３１までの日付７ａが横線７ｂで区画された状態で印刷され、左右のメモ等表示欄７の上部には「今月」もしくは「来月」の月表示７ｃが印刷されている。このメモ等表示欄７に、図２に示すように、今月や来月の日程等の予定が記載されるかあるいは予定が色で識別化された各種形態の付箋１０が着脱可能に貼付されるようになっている。この時、メモ等表示欄７の日付７ａのうち「土曜日」「日曜日」「祭日」等の休日の日に、例えば赤色のシールや付箋等を貼付して休日を明示することもできる。【００１５】  なお、台紙２の前記宣伝等表示欄５には、カレンダーを配布する会社名等の宣伝が印刷されると共に、各月表示欄６の日付表示８は、必要に応じ会社の記念日や年間の祝祭日、大安・仏滅等が識別化されて印刷されている。また、各月表示欄６の曜日表示９の「日曜日」とこれに対応する日付表示８は赤色で印刷され、曜日表示９の「土曜日」とこれに対応する日付表示８は青色で印刷されることで、日曜日と土曜とが識別化されている。【００１６】  このような通年カレンダー１によれば、宣伝等表示欄５が２つの半年エリア４ａ、４ｂ間に設けられているため、台紙２の上下方向の略中間位置に宣伝等表示欄５を位置させることができて、宣伝等表示欄５に印刷された会社名等を通年カレンダー１の使用者の目線内に容易に入れることができると共に、壁に取り付けた際等に宣伝等表示欄５が他の物で隠される虞がなくなる。【００１７】  また同時に、半年エリア４ａ、４ｂの左右両側に今月と来月のメモ等表示欄７が設けられているため、このメモ等表示欄７に各種予定を表示することができて、通年カレンダー１の使い勝手を向上させることができる。さらに、宣伝等表示欄５が台紙２の下端部等に設けられたり、各日付の欄にメモ等を記入する従来の通年カレンダーとは形態が異なる個性ある通年カレンダー１が得られて、使用者に興味を持たせることができると共に、メモ等表示欄７を比較的大きく設定でき、これらのことから、通年カレンダー１の宣伝等表示欄５に従来では得られない宣伝効果を持たせつつ、メモ等表示欄７により使い勝手に優れた通年カレンダー１を提供することが可能になる。【００１８】  また、２ヶ月分の２つのメモ等表示欄７に着脱可能な付箋１０を貼り付けることにより予定がそれぞれ表示されるため、予定の表示及び変更自体を付箋１０の着脱操作により簡単に行うことができると共に、２ヶ月分の予定を表示できて的確な予定表示を行うことができたり、休日等を識別表示でき、通年カレンダー１に各月の予定等を明瞭かつ簡単に表示できて、通年カレンダー１の使い勝手を一層向上させることが可能となる。【００１９】  図３及び図４は、本発明に係わる通年カレンダーのそれぞれ他の実施形態を示す概略構成図である。なお、上記実施形態と同一部位には同一符号を付して説明する。先ず、図３に示す通念カレンダー１は、半年エリア４ａ、４ｂ内における各月表示欄６を３ヶ月づつ横方向で上下に沿って並べ、各半年エリア４ａ、４ｂ間に宣伝等表示欄５を横方向に設けると共に、メモ等表示欄７を台紙２の左右両端部にそれぞれ設けた点にある。【００２０】  また、図４に示す通念カレンダー１の特徴は、台紙２を横長形状として１月から６月の半年エリア４ａを左側に、７月から１２月までの半年エリア４ｂを右側に設け、この両半年エリア４ａ、４ｂ間に宣伝等表示欄５を縦方向に設けると共に、メモ等表示欄７を台紙２の上下端部にそれぞれ設けた点にある。この場合、メモ等表示欄７は、例えば二点鎖線で示すように、台紙２の左右両端部に設けることもできる。【００２１】  これらの各実施形態の通年カレンダー１においても、宣伝等表示欄５を台紙２の上下方向や左右方向の略中間位置に設けることができると共に、メモ等表示欄７を各半年エリア４ａ、４ｂの外側に設けることができて、上記実施形態と同様の作用効果を得ることができる。この各実施形態における半年エリア４ａ、４ｂ内における各月表示欄６の並びは、図示した例に限定されず、適宜の並びを採用することができ、このように半年エリア４ａ、４ｂの形態は、台紙２の形状等に応じて適宜に変更することができる。【００２２】  なお、上記各実施形態においては、メモ等表示欄７を２ヶ月分設けたが、例えば１ヶ月分や３ヶ月分でも良く、１ヶ月分の場合は、台紙２の左右両端部の一方もしくは左右両端部に１５日ずつ分けて設けれるようにすることもできる。また、上記実施形態における、メモ等表示欄７への表示は、着脱される付箋１０に限らず、例えばシート状やボタン状のマグネット等を使用しても良く、この場合は、台紙２自体に磁性体を含有させてマグネットを台紙２に直接吸着させるか、あるいは台紙２を鋼板上に貼り付けて配置し、この台紙２を介してマグネットを鋼板に吸着させる構成等を採用することができる。
【産業上の利用可能性】
【００２３】  本発明は、宣伝等表示欄を縦方向や横方向に設けた通年カレンダーに限定されず、縦方向、横方向、斜め方向等の適宜の方向に設けた通年カレンダー等、全ての通年カレンダーにも適用できる。
【図面の簡単な説明】
【００２４】
【図１】本発明に係わる通年カレンダーの一実施形態を示す概略構成図
【図２】同その要部の拡大図
【図３】同他の実施形態を示す概略構成図
【図４】同さらに他の実施形態を示す概略構成図
【符号の説明】
【００２５】  １：通年カレンダー、２：台紙、３：年号表示欄、４ａ、４ｂ：半年エリア、５：宣伝等表示欄、６：月表示欄、７：メモ等表示欄、７ａ：日付、７ｂ：横線、７ｃ：月表示、８：日付表示、９：曜日表示、１０：付箋。
【図１】
2008126654.tif 000003
【図２】
2008126654.tif 000004
【図３】
2008126654.tif 000005
【図４】
2008126654.tif 000006